(57)【要約】【課題】優れた解像度を得ることができるスキャニングシステム用レンズアレイを提供すること、また、優れた解像度を得る事ができる電気光学装置、光学機器を提供すること。【解決手段】スキャニングシステム用レンズアレイ１は、光が入射する面側に配列した複数の入射側レンズ２１と、光が出射する面側に配列した出射側レンズ２２とを備えた基板本体２と、基板本体２の光が出射する面上の、出射側レンズ２２が形成されていない領域に設けられ、所定の厚さ以上の厚みを備えた遮光部３とを有する。また、基板本体２を平面視した際に、入射側レンズ２１の中心と、出射側レンズ２２の中心とが重なり合うよう構成されている。遮光部３の厚さは、０．３ｍｍ以上であるのが好ましい。【選択図】図２
2008164874.tif 000002
【特許請求の範囲】
【請求項１】
光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うよう構成されていることを特徴とするスキャニングシステム用レンズアレイ。
【請求項２】
前記遮光部の厚さは、０．３ｍｍ以上である請求項１に記載のスキャニングシステム用レンズアレイ。
【請求項３】
前記入射側レンズは、その曲率半径が０．９８〜２．００ｍｍで、かつ、その平均径が０．９０〜２．００ｍｍである請求項１または２に記載のスキャニングシステム用レンズアレイ。
【請求項４】
前記出射側レンズは、その曲率半径が０．７６〜２．００ｍｍで、かつ、その平均径が０．９０〜２．００ｍｍである請求項１ないし３のいずれかに記載のスキャニングシステム用レンズアレイ。
【請求項５】
前記基板本体の屈折率は、１．４〜１．６である請求項１ないし４のいずれかに記載のスキャニングシステム用レンズアレイ。
【請求項６】
前記基板本体の厚さは、１．０〜３．０ｍｍである請求項１ないし５のいずれかに記載のスキャニングシステム用レンズアレイ。
【請求項７】
前記基板本体の光が入射する面上の、前記入射側レンズが形成されていない領域には、第２の遮光部が設けられている請求項１ないし６のいずれかに記載のスキャニングシステム用レンズアレイ。
【請求項８】
前記基板本体は、光が出射する面の前記出射側レンズが形成されていない領域の表面付近に着色部を有する請求項１ないし７のいずれかに記載のスキャニングシステム用レンズアレイ。
【請求項９】
光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うよう構成されているスキャニングシステム用レンズアレイを備えることを特徴とする電気光学装置。
【請求項１０】
光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うように設けられたものであるスキャニングシステム用レンズアレイを備えた電気光学装置を備えることを特徴とする光学機器。
【発明の詳細な説明】
【技術分野】
【０００１】
本発明は、スキャニングシステム用レンズアレイ、電気光学装置、および光学機器に関するものである。
【背景技術】
【０００２】
複写機、プリンタ、ファクシミリなどの光学機器では、高密度の画像データを得るため、ＣＣＤ等の受光素子を直線上に配置したラインセンサにより、結像面をスキャンするスキャニングシステムを用いた画像入力装置が知られている。このスキャニングシステムに用いられる光学系として、複数個のロッドレンズを整列させて配列したロッドレンズアレイ（例えば、特許文献１）が知られている。なお、ロッドレンズとは、断面形状が円形で、中心から周辺にかけて放物線状に屈折率分布を有するものである。
【０００３】
このようなロッドレンズアレイは、隣接する各レンズによる像が重なり合って、物体と像とが等倍（１対１、倍率１）の関係を保った帯状の連続した一つの合成像を作り、線状の像をＣＣＤ等の受光素子で構成されたラインセンサに結像させる。また、このようなロッドレンズアレイは、例えば、光プリンタでは、ＬＥＤ発光素子等で構成される発光アレイから出射された画像パターンを、感光体ドラム上に書き込む（露光する）画像出力装置にも用いられる。
【０００４】
しかしながら、このようなロッドレンズアレイは、隣接する各レンズによる像を重なり合わせて結像させるという性質を有するため、ロッドレンズアレイを構成する各ロッドレンズの位置を厳密に調整しなければ、ロッドレンズアレイとラインセンサ、もしくは、発光アレイとの光軸および焦点が合わない。そのため、ロッドレンズの位置を微調整しながら、ロッドレンズアレイを設計する必要があり、組立コストがかかるとともに、不良率が高いという問題があった。また、ロッドレンズアレイとラインセンサ、もしくは、発光アレイとの光軸および焦点を厳密に調整したとしても、互いの像の干渉を完全に排除することが困難であり、満足できる解像度を得ることが困難であった。さらに、ロッドレンズアレイを構成する各ロッドレンズの端面は、平面に切削されており、精度の高い平面であるほど、解像度の高い像が得られるものである。しかし、切削、研磨等によって鏡面加工されたロッドレンズの端面は、微小な傷が多数存在しており、このような傷によって端面で屈折、散乱が起こる結果、解像度が低下するという問題もあった。
【０００５】
【特許文献１】特開平６−３４７６０８号公報
【発明の開示】
【発明が解決しようとする課題】
【０００６】
本発明の目的は、優れた解像度を得ることができるスキャニングシステム用レンズアレイを提供すること、また、優れた解像度を得る事ができる電気光学装置、光学機器を提供することにある。
【課題を解決するための手段】
【０００７】
このような目的は、下記の本発明により達成される。
本発明のスキャニングシステム用レンズアレイは、光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うよう構成されていることを特徴とする。
これにより、優れた解像度を得ることができるスキャニングシステム用レンズアレイを提供することができる。
【０００８】
本発明のスキャニングシステム用レンズアレイでは、前記遮光部の厚さは、０．３ｍｍ以上であることが好ましい。
これにより、隣接する出射側レンズから出射される光同士が不本意に干渉するのをより確実に防止することができ、より優れた解像度を得ることができる。
本発明のスキャニングシステム用レンズアレイでは、前記入射側レンズは、その曲率半径が０．９８〜２．００ｍｍで、かつ、その平均径が０．９０〜２．００ｍｍであることが好ましい。
これにより、球面収差を十分に小さいものとすることができ、入射した光を効率良く出射側レンズへ導くことができる。
【０００９】
本発明のスキャニングシステム用レンズアレイでは、前記出射側レンズは、その曲率半径が０．７６〜２．００ｍｍで、かつ、その平均径が０．９０〜２．００ｍｍであることが好ましい。
これにより、球面収差を十分に小さいものとすることができる。その結果、集光される光のスポット径をより小さいものとすることができ、より優れた解像度を得ることができる。
【００１０】
本発明のスキャニングシステム用レンズアレイでは、前記基板本体の屈折率は、１．４〜１．６であることが好ましい。
これにより、より効率良く入射光を集光させることができ、より優れた解像度を得ることができる。
本発明のスキャニングシステム用レンズアレイでは、前記基板本体の厚さは、１．０〜３．０ｍｍであることが好ましい。
これにより、本発明のスキャニングシステム用レンズアレイは、特に優れた光学特性を有するものとなる。
【００１１】
本発明のスキャニングシステム用レンズアレイでは、前記基板本体の光が入射する面上の、前記入射側レンズが形成されていない領域には、第２の遮光部が設けられていることが好ましい。
これにより、隣接する入射側レンズに入射すべき光同士が、不本意に干渉するのを効果的に防止することができる。その結果、例えば、画像出力装置（光学機器）に適用した場合、より優れた解像度の画像を形成することができる。
【００１２】
本発明のスキャニングシステム用レンズアレイでは、前記基板本体は、光が出射する面の前記出射側レンズが形成されていない領域の表面付近に着色部を有することが好ましい。
これにより、隣接する入射側レンズから入射した光同士が、基板本体の内部において不本意に干渉するのを効果的に防止することができる。その結果、例えば、画像出力装置（光学機器）に適用した場合、より優れた解像度の画像を形成することができる。
【００１３】
本発明の電気光学装置は、光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うよう構成されているスキャニングシステム用レンズアレイを備えることを特徴とする。
これにより、優れた解像度を得る事ができる電気光学装置を提供することができる。
【００１４】
本発明の光学機器は、光が入射する面側に配列した複数の入射側レンズと、光が出射する面側に配列した出射側レンズとを備えた基板本体と、
前記基板本体の光が出射する面上の、前記出射側レンズが形成されていない領域に設けられ、所定の厚さ以上の厚みを備えた遮光部とを有し、
前記基板本体を平面視した際に、前記入射側レンズの中心と、前記出射側レンズの中心とが重なり合うように設けられたものであるスキャニングシステム用レンズアレイを備えた電気光学装置を備えることを特徴とする。
これにより、優れた解像度を得る事ができる光学機器を提供することができる。
【発明を実施するための最良の形態】
【００１５】
以下、本発明を添付図面に示す好適実施形態に基づいて詳細に説明する。
＜スキャニングシステム用レンズアレイ（第１実施形態）＞
まず、本発明のスキャニングシステム用レンズアレイの第１次実施形態について説明する。
図１は、本発明のスキャニングシステム用レンズアレイの第１実施形態を、光が出射される側から見た模式的な平面図、図２は、図１に示すスキャニングシステム用レンズアレイのＡ−Ａ線断面図である。なお、以下の説明では、図２中の下側を「（光の）入射側」、上側を「（光の）出射側」と言う。
【００１６】
本発明のレンズアレイ（スキャニングシステム用レンズアレイ）は、例えば、後に詳述するような、光源から発された画像パターンを感光体ドラム等の表面に書き込むことができる画像出力装置（ラインヘッド）や、原稿等からの画像パターンを、ＣＣＤ等の受光素子で構成されるセンサーに結像させるような画像入力装置等の電気光学装置の結像光学系として用いることができるが、以下の説明では、画像出力装置に用いた場合を中心的に説明する。
【００１７】
図１、図２に示すように、スキャニングシステム用レンズアレイ１（以下、単にレンズアレイ１ともいう。）は、複数のレンズを備えた基板本体２と、基板本体２上に設けられた遮光部３とを有している。
基板本体２は、図２に示すように、光の入射側の面に複数の入射側レンズ２１と、光の出射側の面に複数の出射側レンズ２２とを有している。
【００１８】
図１に示すように、複数の出射側レンズ２２は、レンズアレイ１の長尺方向に、ライン状に所定のピッチで並んだ列が、レンズアレイ１の幅方向に複数配列した構成となっている。また、各出射側レンズ２２の中心は、図１中の縦方向において互いに重ならないように設けられている。
また、複数の入射側レンズ２１は、上記出射側レンズ２２と同様に配列したものであり、基板本体２を平面視したとき、各入射側レンズ２１の中心と、これに対応する各出射側レンズ２２の中心とが重なり合うように構成されている。このような構成とすることにより、例えば、このように各レンズが配列したレンズアレイ１を備えた、後述するような画像出力装置においては、図１中、縦方向に走査することにより、縦方向に設けられた各出射側レンズ２２（各入射側レンズ２１）の配列数に比例して高い解像度を得ることができる。
【００１９】
このようなレンズアレイ１は、入射側レンズ２１から入射した光を、出射側レンズ２２から収束しつつ出射する機能を有するものである。これにより、例えば、後述するような画像出力装置に適用した場合、一対のレンズによって集光される光のスポット径を十分に小さいものとすることができ、従来のものと比較して、解像度を高いものとすることができる。
【００２０】
入射側レンズ２１の曲率半径は、０．９８〜２．００ｍｍであるのが好ましく、０．９８〜１．８０ｍｍであるのがより好ましい。
また、入射側レンズ２１の平均径は、０．９０〜２．００ｍｍであるのが好ましく、０．９８〜１．７６ｍｍであるのがより好ましい。
入射側レンズ２１の曲率半径および平均径が上記のような範囲のものであると、球面収差を十分に小さいものとすることができ、入射した光を効率良く出射側レンズ２２へ導くことができる。
【００２１】
出射側レンズ２２の曲率半径は、０．７６〜２．００ｍｍであるのが好ましく、０．７６〜１．７０ｍｍであるのがより好ましい。
また、出射側レンズ２２の平均径は、０．９０〜２．００ｍｍであるのが好ましく、０．９８〜１．７６ｍｍであるのがより好ましい。
出射側レンズ２２の曲率半径および平均径が上記のような範囲のものであると、球面収差を十分に小さいものとすることができる。その結果、集光される光のスポット径をより小さいものとすることができ、より優れた解像度を得ることができる。
【００２２】
上記のような構成の基板本体２の屈折率は、１．４〜１．６であるのが好ましく、１．４８〜１．５６であるのがより好ましい。これにより、より効率良く入射光を集光させることができ、より優れた解像度を得ることができる。
また、基板本体２の厚さは、１．０〜３．０ｍｍであるのが好ましく、１．２〜２．５ｍｍであるのがより好ましい。これにより、レンズアレイ１は、特に優れた光学特性を有するものとなる。
また、基板本体２を構成する材料としては、透明性を有するものであれば、特に限定されず、例えば、公知の樹脂材料を用いることができる。
また、レンズアレイ１は、遮光部３を有している。
遮光部３は、図１および図２に示すように、基板本体２の光の出射側の面上の出射側レンズ２２が形成されていない領域（非レンズ領域）に設けられたものであり、所定の厚さ以上の厚み（図２中、Ｔで表される厚み）を備えたものである。
【００２３】
このように本発明のスキャニングシステム用レンズアレイでは、光の出射面側の非レンズ領域に所定の厚さ以上の遮光部を有する点に特徴を有している。このような構成とすることにより、隣接する出射側レンズから出射される光同士が不本意に干渉するのを防止することができ、例えば、後述するような画像出力装置（光学機器）に適用した場合、解像度の優れた画像を形成することができる。
【００２４】
遮光部３の厚さは、具体的には、０．３ｍｍ以上であるのが好ましく、０．３〜１．０ｍｍであるのがより好ましく、０．５〜０．８ｍｍであるのがさらに好ましい。これにより、隣接する出射側レンズ２２から出射される光同士が不本意に干渉するのをより確実に防止することができ、より優れた解像度を得ることができる。遮光部３の厚さが上記下限値未満であると、各レンズの径や曲率半径等によっては、隣接する出射側レンズ２２から出射される光同士の干渉を十分に防止するのが困難となる場合がある。
このような遮光部３を形成する遮光材料としては、例えば、有色の樹脂材料（着色した樹脂材料も含む）、各種金属材料等を用いることができる。
【００２５】
次に、上述したようなレンズアレイ１の製造方法の一例について説明する。
図３および図４は、本発明のスキャニングシステム用レンズアレイの製造方法の一例を示す工程図である。
本実施形態では、表面に入射側レンズ２１の形状に対応した形状を備えた複数の凹部を有する第１の凹部付き基板６と、表面に出射側レンズ２２の形状に対応した形状を備えた複数の凹部を有する第２の凹部付き基板６’を用いて基板本体２を形成し、その後、基板本体２の出射面側に遮光部３を形成する。
【００２６】
［基板本体の形成］
まず、基板本体２の形成方法について説明する。
まず、第１の凹部付き基板６および第２の凹部付き基板６’を準備する（第１の凹部付き基板および第２の凹部付き基板の準備工程）。
第１の凹部付き基板６は、前述したような複数の入射側レンズ２１と対応した形状を有する複数の第１の凹部６１を備えている。
また、第２の凹部付き基板６’は、前述したような複数の出射側レンズ２２と対応した形状を有する複数の第２の凹部６１’を備えている。
【００２７】
これら第１の凹部付き基板６および第２の凹部付き基板６’は、いかなる方法で製造されたものであってもよく、例えば、金属板に切削加工等を施すことにより製造されたものであってもよいし、ガラスやシリコン等で形成された基板に、フォトリソ方式で凹部の形状を作り込み、各種エッチング処理を施すことにより製造されたものであってもよいし、また、ガラス基板に所定の開口部を有するマスクを形成した後、該開口部を介してエッチング処理を施すことにより製造されたものであってもよい。
なお、各凹部付き基板の凹部が設けられている面に離型処理を施すのが好ましい。これにより、後述する工程において、樹脂層から各凹部付き基板を容易に取り外すことができる。
【００２８】
次に、図３（ａ）に示すように、上記のような第１の凹部付き基板６と第２の凹部付き基板６’との間に、流動性を有する樹脂材料２３（例えば、軟化状態の樹脂材料２３、未重合（未硬化）の樹脂材料２３）を付与する（樹脂材料付与工程）。
次に、図３（ｂ）に示すように、第１の凹部付き基板６と第２の凹部付き基板６’とで、上記樹脂材料２３を押圧する（押圧工程）。これにより、各凹部内に樹脂材料が充填され、基板本体２と同様の形状を備えた樹脂層２３’が形成される。
【００２９】
次に、樹脂層２３’（樹脂材料２３）を固化（ただし、硬化（重合）を含む）させることにより、基板本体２が形成される（固化工程）。
その後、図３（ｃ）に示すように、第１の凹部付き基板６と第２の凹部付き基板６’とを取り除くことにより、複数の入射側レンズ２１および出射側レンズ２２を備えた基板本体２が得られる。
【００３０】
［遮光部の形成］
次に、遮光部３の形成方法について説明する。
まず、図４（ｄ）に示すように、得られた基板本体２の出射側レンズ２２が設けられた側の面に、レジスト剤を付与し、所定の厚さのレジスト層４を形成する。なお、レジスト剤としては、ポジレジスト、ネガレジストのいずれのものも用いることができるが、以下の説明では、ネガレジストを用いた場合について説明する。
【００３１】
次に、レジスト層４の出射側レンズ２２に対応する部位に、電子線を照射する。その後、露光、現像を行うことにより、図４（ｅ）に示すように、基板本体２の光が出射する面上の非レンズ領域に対応する部位に、開口部４１を備えたレジスト層４’が形成される。
次に、レジスト層４’の開口部４１内に、図４（ｆ）に示すように、上述したような遮光材料（固化していない有色の樹脂材料）３１を充填する。
【００３２】
その後、遮光材料３１を固化させ、レジスト層４’を除去することにより、レンズアレイ１（本発明のスキャニングシステム用レンズアレイ）が得られる。このように、レジスト剤を用いることにより、容易に遮光部３を形成することができる。また、レジスト層４の厚さを調整することにより、形成される遮光部３の厚さを容易に制御することができる。
【００３３】
＜電気光学装置および光学機器＞
次に、前述したようなスキャニングシステム用レンズアレイを備える本発明の電気光学装置（画像出力装置）、および本発明の光学機器（画像形成装置）について、図５および図６に示す実施形態に基づき、詳細に説明する。
図５は、本発明のスキャニングシステム用レンズアレイを備える画像出力装置を適用した画像形成装置の構成を示す模式図、図６は、本発明のスキャニングシステム用レンズアレイ１を適用した画像出力装置の概念図である。
【００３４】
画像形成装置１００は、図５に示すように、トナーを収容するトナー収容部１０１と、トナー像を現像する円筒状の感光体１０２と、感光体１０２にトナーを供給する現像ローラ１０３と、トナー収容部１０１から現像ローラ１０３にトナーを供給する供給ローラ１０４と、感光体１０２で現像されたトナー像を記録媒体に転写する中間転写ローラ１０５および２次転写ローラ１０６と、記録媒体に転写されたトナー像を記録媒体に定着する定着部１０７とを有している。
【００３５】
感光体１０２の周囲には、感光体１０２の外周面を一様に帯電させる帯電器１０８と、この帯電器１０８によって一様に帯電させられた外周面を感光体１０２の回転に同期して順次ライン走査する、前述したようなスキャニングシステム用レンズアレイ１を備えた画像出力装置（ラインヘッド）１０９とが設けられている。
このような構成において、帯電器１０８により感光体１０２の表面が均一に帯電された後、後述する画像出力装置１０９によって記録すべき情報に応じた露光が行なわれる。これにより、感光体１０２の表面に静電潜像が形成される。
【００３６】
ここで画像出力装置１０９について、図面を参照しつつ詳細に説明する。
画像出力装置１０９は、図６に示すように、前述したようなレンズアレイ１と、レンズアレイ１の光の入射面側に設けられた発光素子アレイ７０とを有している。
発光素子アレイ７０は、複数の発光素子７１を有している。
この発光素子７１は、前述したレンズアレイ１の複数の入射側レンズ２１（出射側レンズ２２）と同じパターンで配列している。
すなわち、発光素子アレイ７０とレンズアレイ１とは、発光素子７１と入射側レンズ２１（出射側レンズ２２）とが１：１に対応するように構成されている。
【００３７】
また、発光素子アレイ７０とレンズアレイ１とは、各発光素子７１から発射される光束が、対応する各一対の入射側レンズ２１および出射側レンズ２２を介して、感光体１０２に、対応する発光素子の像を結像するように、図示しない一体化手段（ケーシング等）により一体化されている。なお、各一対の入射側レンズ２１および出射側レンズ２２の光軸は、対応する発光素子７１の中央部を通るようになっている。
【００３８】
点灯した発光素子７１の組み合わせにより表現される１次元の画像は、レンズアレイ１を介して、感光体１０２上に結像される。そして、感光体１０２の回転（図６における紙面と垂直な方向へ回転）とともに、このような光画像伝送が繰り返され、２次元の画像（静電潜像）が感光体１０２上に伝送（露光）される。なお、レンズアレイ１に設けられた各レンズで集光される光によって露光される部位が、１画素に該当するものとなる。
【００３９】
ところで、このような画像形成装置の画像出力装置（光学系）には、従来、ロッドレンズアレイが用いられてきた。しかしながら、ロッドレンズアレイは、隣接する各ロッドレンズによる像を重ね合わせて結像させる光学系であるため、焦点を絞るのが難しく、結果として、十分な解像度を得るのが困難であった。
これに対して、画像形成装置の光学系に前述したようなレンズアレイ１（本発明のスキャニングシステム用レンズアレイ）を適用することにより、１画素の大きさを十分に小さいものとすることができるため、解像度をより高いものとすることができるとともに、焦点深度が十分に深いものとすることができる。
【００４０】
供給ローラ１０４は、現像ローラ１０３と対向して回転するものであり、現像ローラ１０３にトナーを供給する機能を有するものである。
現像ローラ１０３は、感光体１０２と等速で回転してトナーを静電潜像に転写する機能を有するものである。このように感光体１０２の静電潜像にトナーが転写されることにより、感光体１０２上にトナー像が形成される。
【００４１】
感光体１０２上に形成されたトナー画像は、中間転写ローラ１０５に対して転写された後に、２次転写ローラ１０６に転写電流を通電して、両者の間を通過する紙等の記録媒体にトナー像が転写される。
定着部１０７は、加圧ローラ１０７１と、加熱ローラ１０７２とを備えており、記録媒体に転写されたトナー像を、加圧と加熱により、記録媒体に定着する機能を有するものである。
【００４２】
このような画像形成装置１００は、前述したようなスキャニングシステム用レンズアレイ１を備えているため、解像度が高く、品質の安定した画像を形成することができる。また、量産した際に、製造される画像形成装置間での品質のばらつきを十分に小さいものとすることができる。
なお、本発明の光学機器は、図５の画像形成装置（プリンタ）の他にも、例えば、ファクシミリ、スキャナ、コピー機などが挙げられる。そして、これらの各種光学機器の電気光学装置として、前述した本発明のスキャニングシステム用レンズアレイが適用可能なことは言うまでもない。
【００４３】
＜スキャニングシステム用レンズアレイ（第２実施形態）＞
次に、本発明のスキャニングシステム用レンズアレイの第２実施形態について説明する。なお、以下の説明では、上述した第１実施形態と異なる部分を中心に説明し、同様の部分はその説明を省略する。
図７は、本発明のスキャニングシステム用レンズアレイの第２実施形態を示す縦断面図である。なお、以下の説明では、図７中の下側を「（光の）入射側」、上側を「（光の）出射側」と言う。
【００４４】
本実施形態にかかるスキャニングシステム用レンズアレイ１’は、前述した第１実施形態と同様に、基板本体２と、基板本体２上に設けられた遮光部３とを有している。
また、基板本体２は、前述した第１実施形態と同様に、光の入射側の面に複数の入射側レンズ２１と、光の出射側の面に複数の出射側レンズ２２とを有している。これらレンズは、前述した実施形態と同様に配列したものである。
また、遮光部３は、前述した実施形態と同様に、基板本体２の出射側の面上の非レンズ領域に、所定の厚さ以上の厚みで設けられたものである。
【００４５】
本実施形態では、基板本体２は、図７に示すように、基板本体２の光の出射面側の遮光部３に対応する領域、すなわち、光の出射面側の非レンズ領域の表面付近に、着色部２４を有している。この点において、前述した第１実施形態と異なっている。
着色部２４は、基板本体２の表面から内部に向かって、所定の厚さで形成されたものである。
このような着色部２４を有することにより、隣接する入射側レンズ２１から入射した光同士が、基板本体２の内部において不本意に干渉するのを効果的に防止することができる。その結果、例えば、前述したような画像出力装置（光学機器）に適用した場合、より優れた解像度の画像を形成することができる。
【００４６】
このような着色部２４の厚さは、０．３〜１．０ｍｍであるのが好ましく、０．３〜０．６ｍｍであるのがより好ましい。これにより、隣接する入射側レンズ２１から入射した光同士が、基板本体２の内部において不本意に干渉するのをより効果的に防止することができる。
このような着色部２４の形成は、例えば、遮光部３を形成する前に、出射側レンズ２２の間に着色液を付与することにより行うことができる。
【００４７】
着色液としては、着色剤とベンジルアルコールとを含むものを用いることができる。このような着色液を用いることにより、基板本体２の着色を容易かつ確実に行うことができる。
着色液中におけるベンジルアルコールの含有率は、特に限定されないが、０．０１〜１０．０ｗｔ％であるのが好ましく、０．０５〜８．０ｗｔ％であるのがより好ましく、０．１〜５．０ｗｔ％であるのがさらに好ましい。ベンジルアルコールの含有率が上記範囲内の値であると、着色部２４を形成すべき基板本体２に対する悪影響の発生（例えば、基板の構成材料の劣化等）をより効果的に防止しつつ、容易かつ確実に好適な着色部２４を形成することができる。
着色液中に含まれる着色剤は、各種染料、各種顔料等、いかなるものであってもよいが、染料であるのが好ましく、分散染料および／またはカチオン系染料であるのがより好ましく、分散染料であるのがさらに好ましい。
【００４８】
＜スキャニングシステム用レンズアレイ（第３実施形態）＞
次に、本発明のスキャニングシステム用レンズアレイの第３実施形態について説明する。なお、以下の説明では、上述した第１実施形態と異なる部分を中心に説明し、同様の部分はその説明を省略する。
図８は、本発明のスキャニングシステム用レンズアレイの第３実施形態を示す縦断面図である。なお、以下の説明では、図８中の下側を「（光の）入射側」、上側を「（光の）出射側」と言う。
【００４９】
本実施形態に係るスキャニングシステム用レンズアレイ１”は、基板本体２の光の入射側の面の上の入射側レンズ２１が形成されていない領域（非レンズ領域）に、第２の遮光部３’が設けられている以外は、前述した第１実施形態と同様の構成を有している。
このように、光の入射面側の非レンズ領域に、第２の遮光部３’を設けることにより、例えば、前述したような画像出力装置に適用した場合、隣接する発光素子から照射された光同士が、レンズアレイ１”に入射する前に不本意に干渉するのを効果的に防止することができる。その結果、より優れた解像度の画像を形成することができる。
このような第２の遮光部３’は、前述した遮光部３と同様にして形成することができる。
【００５０】
以上、本発明のスキャニングシステム用レンズアレイ、電気光学装置、および光学機器について、図示の実施形態に基づいて説明したが、本発明は、これらに限定されるものではない。
例えば、本発明のスキャニングシステム用レンズアレイは、前述したような製造方法により製造されたものに限定されない。
また、電気光学装置および光学機器を構成する各部は、同様の機能を発揮し得る任意の構成のものと置換することができる。
【図面の簡単な説明】
【００５１】
【図１】本発明のスキャニングシステム用レンズアレイの第１実施形態を、光が出射される側から見た模式的な平面図である。
【図２】図１に示すスキャニングシステム用レンズアレイのＡ−Ａ線断面図である。
【図３】本発明のスキャニングシステム用レンズアレイの製造方法の一例を示す工程図である。
【図４】本発明のスキャニングシステム用レンズアレイの製造方法の一例を示す工程図である。
【図５】本発明のスキャニングシステム用レンズアレイを備える画像出力装置を適用した画像形成装置の構成を示す模式図である。
【図６】本発明のスキャニングシステム用レンズアレイ１を適用した画像出力装置の概念図である。
【図７】本発明のスキャニングシステム用レンズアレイの第２実施形態を示す縦断面図である。
【図８】本発明のスキャニングシステム用レンズアレイの第３実施形態を示す縦断面図である。
【符号の説明】
【００５２】
１、１’、１”…スキャニングシステム用レンズアレイ  ２…基板本体  ２１…入射側レンズ  ２２…出射側レンズ  ２３…樹脂材料  ２３’…樹脂層  ２４…着色部  ３…遮光部  ３’…第２の遮光部  ３１…遮光材料  ４、４’…レジスト層  ４１…開口部  ６…第１の凹部付き基板  ６’…第２の凹部付き基板  ６１…第１の凹部  ６１’…第２の凹部  ７０…発光素子アレイ  ７１…発光素子  １００…画像形成装置  １０１…トナー収容部  １０２…感光体  １０３…現像ローラ  １０４…供給ローラ  １０５…中間転写ローラ  １０６…２次転写ローラ  １０７…定着部  １０７１…加圧ローラ  １０７２…加熱ローラ  １０８…帯電器  １０９…画像出力装置（ラインヘッド）
【図１】
2008164874.tif 000003
【図２】
2008164874.tif 000004
【図３】
2008164874.tif 000005
【図４】
2008164874.tif 000006
【図５】
2008164874.tif 000007
【図６】
2008164874.tif 000008
【図７】
2008164874.tif 000009
【図８】
2008164874.tif 000010